(57)【要約】    【課題】本発明は、ガラス板にウィンドーティンティングを施さずに広告看板の取替えが可能であり、蛍光灯の取り替えが容易であり、裏板にも広告ができるガラス面取付け広告看板を提供することを課題とする。    【解決手段】ガラス面の内側に、裏板が脱着可能であり、蛍光燈が組み込まれた本体フレームを装着し、外側に広告シートを装着する広告面フレームが装着され、裏板及び広告シートの脱着が、弾性手段によって弾力支持される折畳羽によって行われるガラス面取付け広告看板による。    【選択図】図１
2006178379.tif 000002
【特許請求の範囲】
【請求項１】
ガラス面を中心に室内側には裏板の脱着で蛍光燈が交換可能に装着された本体フレームが装着され、室外側には広告面フレームが装着され、広告面フレームに装着される広告シートが室外から簡単に取り替えられるようにしたことを特徴とするガラス面取付け広告看板。
【請求項２】
裏板の脱着が弾性手段によって弾力支持される折畳羽によって脱着されることを特徴とする請求項１に記載のガラス面取付け広告看板。
【請求項３】
広告シートは弾性手段によって弾力支持される折畳羽によって脱着されることを特徴とする請求項１に記載のガラス面取付け広告看板。
【請求項４】
本体フレームは、中央部に開口部１３ａを有する取付け面１３と、前記取付け面１３の一側には内側に傾いた傾斜バー１４が形成され、前記傾斜バーには安定機溝１５に固定された安定機２００の外部露出を防止できるように反射板１６が装着され、前記取付け面の対応する他側には折畳羽１２のヒンジ溝１２ａが嵌合されるようにヒンジ突起１７を有し、その下方には折畳羽の弾性作用のための弾性手段３００が収容されるように隔室１８が具備され、隔室の下方には裏板の緊密な密着のための密着面１９を有し、密着面の内側には係止突起１９ａが形成され、本体フレーム１０の枠を構成するための固定具４００が嵌合されることを特徴とする請求項１に記載のガラス面取付け広告看板。
【請求項５】
広告面フレームは固定フレームとカバーフレームとがワンタッチで脱着されることを特徴とする請求項１に記載のガラス面取付け広告看板。
【請求項６】
広告面フレームは広告シートが嵌合されるように嵌合溝が形成されることを特徴とする請求項１に記載のガラス面取付け広告看板。
【請求項７】
裏板には絵を形成して半透明にすることで、絵などが透けて見えるようにしたことを特徴とする請求項１に記載のガラス面取付け広告看板。
【発明の詳細な説明】
【技術分野】
【０００１】
本発明は、外部に透けて見えるガラス面に形成された広告内容が、夜間に発光するようにするための広告看板に係り、特に光源として用いられる蛍光燈の取り替えおよび広告内容の取り替えと共に、使用の便宜性を向上させた技術に関する。
【背景技術】
【０００２】
現在、ショールームや売場のガラス面に具現されている広告の形態は、ウィンドーティンティング（window tinting）による方式であって、色紙をガラス面に取付けた後、広告内容に応じて色紙を取り除きながら広告内容を形成するという方法を採用している。
【０００３】
しかし、このような方式は、夜間において広告効果が得られないという短所があって、夜間では別途の夜光の広告看板を使用することで、経済的な損失をもたらしていた。また、このような夜間の広告形態としてはネオンサインを用いているが、かかるネオンサインはユーザの必要性による除去や設置が容易ではなく、設置や維持に莫大な費用が要されるという短所があると共に、室内においては不必要な発光を発生して室内の環境を害するという短所があった。
【０００４】
そこで、安価な費用で用いられるものとして、通常、四角枠でなる筐体に蛍光燈を組み込んで、筐体の前面から広告看板が透けて見えるようにした方式が使用されている。しかし、かかる筐体は、該筐体に形成された組み込まれている蛍光燈が筐体の裏板に安定機と共に固定されるように装着されているので、蛍光燈を取り替える際は、筐体を分解しなければならないという使用上の不都合があった。
【０００５】
そこで、それを改善するために本願出願人が先出願して登録した特許文献１における発明は、ガラス面に取付けられるフレームと、該フレームを構成する側板に蛍光燈を装着した後、裏板の脱着で蛍光燈の取り替えを容易にし、またガラス面にウィンドーティンティングされた広告内容を照らすようにすることで、昼間ではこのようなウィンドーティンティングによる広告、夜間ではガラス面に取付けられた広告看板の蛍光燈の発光によって広告が容易に行われるようにし、同時に、蛍光燈の取り替えも容易にしたものである。
【特許文献１】大韓民国特許第３９２０９２号
【発明の開示】
【発明が解決しようとする課題】
【０００６】
しかし、このような方式は広告内容がウィンドーティンティングの形態でなっているので、広告内容を頻繁に取り替えることはできないという短所があり、特に蛍光燈を固定するための側板を別途の部品として使用することにより、フレームへの組立てが困難であって、裏板の脱着によって行われる蛍光燈の取り替えも裏板の脱着をネジ締めに依存するために、不便であるという短所があった。
【課題を解決するための手段】
【０００７】
そこで、本発明は、ガラス板に別途のウィンドーティンティングを施さずに広告看板の取り替えを可能にしながら、蛍光燈の取り替えを容易にし、広告面を有する裏板を用いても広告ができるようにしたことで、額縁の機能は勿論、該裏板を透明にして、広告内容が室内においても透けて見えるようにしたものである。
【発明の効果】
【０００８】
上述したように、本発明は広告シートを、発光によって透けるようにし、室内において透けて見えるようにし、安定的に維持できるようにしながら、広告シートは外部から簡単に取り替えができるようにし、室内での使用および室外での使用が様々な形で行われるという長所を有する。
【発明を実施するための最良の形態】
【０００９】
以下では、添付の図面を参照して本発明の最も好ましい一実施例を詳細に説明する。まず、各図面を説明するに際し、同じ構成要素に限っては、たとえ他の図面上に示されているとしても可能な限り、同じ参照符号を与える。
【００１０】
図１に示すように、本発明は、蛍光燈が組み込まれてガラス面１００の内側に接着固定される本体フレーム１０と、ガラス面１００の外側に接着されて広告シート２１が装着される本体フレーム２０とで構成され、前記本体フレーム１０は、裏板１１が本体フレームの一側でスライド式に脱着されるか、または裏板が本体フレームに装着された折畳羽１２によって折り畳まれながら、裏板の脱着を可能にした。
【００１１】
この際、裏板には各種のメニューリスト、または様々な絵や印刷を施すことが可能であって、室内雰囲気の改善や、値段札などを印刷したり、取付けたりすることができる。また、かかる裏板を不透明または透明にすることで、印刷された内容が透けて見えるようにすることができる。
【００１２】
また、広告面フレーム２０は、図３および図６に示すように、ガラス面に接着などの手段によって固定される固定フレーム２０ａと、前記固定フレームにワンタッチで脱着されるカバーフレーム２０ｂとで構成されるが、図１、図２および図４に示すように、固定フレームに折畳羽２２を備え、折り畳まれながら広告面の取り替えが容易に行われる。
【００１３】
また、前記本体フレームの折畳羽および広告フレームの折畳羽は、折り畳みの手順によってのみ折り畳まれるようにすることで、第３者の任意操作による毀損を防止することができる。
【００１４】
また、図５に示すように、広告シートは、広告面フレームに嵌合溝２３を形成してワンタッチで脱着可能にしたものである。
【００１５】
また、本体フレーム１０の構成は、ガラス面１００に両面テープなどによって取付けられ得る中央部の開口した取付け面１３と、前記開口された開口部１３ａとは、本体フレームを構成する場合、その内側に装着されるものの固定のための手段として使用されるものであって、前記取付け面１３の一側には内側に傾いた傾斜バー１４が形成され、安定機溝１５に固定された安定機２００の外部露出を防止できるように反射板１６を装着し、かかる反射板１６は傾斜バーの内側に形成された傾斜角により、嵌合によって湾曲した面が形成され、優れた反射効果を表わす。
【００１６】
また、取付け面の対応する他側には折畳羽１２が形成され、前記折畳羽のヒンジ溝１２ａが嵌合されるようにヒンジ突起１７を有し、その下方には折畳羽の弾性作用のための弾性手段３００が収容されるように隔室１８が具備され、隔室の下方には裏板の緊密な密着のための密着面１９を有し、密着面の内側には係止突起１９ａが形成されて本体フレーム１０の枠を構成するための固定具４００が嵌合される。
【００１７】
この際、裏板の装着を広告面フレームと同様の構造にすることによって様々な嗜好に応えることができ、本体フレームの構造を、該固定具４００を用いた枠への組立てに限らず、様々な組立て形態にすることができる。
【００１８】
したがって、広告シートを、広告面フレームの前面に向けて脱着することで、容易に取り替えができ、しかも蛍光燈の取り替えも裏板の脱着によって簡単に行うことができる。
【図面の簡単な説明】
【００１９】
【図１】本発明の組立て構成の一例を示した断面図である。
【図２】広告シートが折畳羽によって脱着されることを示した斜視図である。
【図３】広告面フレームがワンタッチで広告シートから脱着されることを示した斜視図である。
【図４】本発明の組立て構成を示した分解斜視図である。
【図５】広告シートが一側に嵌合されることを示した斜視図である。
【図６】広告面フレームがワンタッチで脱着されることを示した断面図である。
【図７】本体フレームの構成を示した斜視図である。
【符号の説明】
【００２０】
１０    本体フレーム
１１    裏板
２０    広告面フレーム
２１    広告シート
【図１】
2006178379.tif 000003
【図２】
2006178379.tif 000004
【図３】
2006178379.tif 000005
【図４】
2006178379.tif 000006
【図５】
2006178379.tif 000007
【図６】
2006178379.tif 000008
【図７】
2006178379.tif 000009
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
ガラス面の内側に、裏板が脱着可能であって、蛍光燈が組み込まれた本体フレームが装着され、前記ガラス面の外側に広告面フレームが装着され、該広告面フレームに装着される広告シートが前記ガラス面の外側から簡単に取り替えられることを特徴とするガラス面取付け広告看板。
【請求項２】
前記裏板の脱着が、弾性手段により弾力作用を有する折畳羽によって行われることを特徴とする、請求項１に記載のガラス面取付け広告看板。
【請求項３】
前記広告シートの脱着が、弾性手段により弾力作用を有する折畳羽によって行われることを特徴とする、請求項１又は２に記載のガラス面取付け広告看板。
【請求項４】
前記本体フレームには中央部に開口部を有する取付け面が設けられ、前記取付け面の一側には内側に傾いた傾斜バーが形成され、前記傾斜バーには安定機溝に固定された安定機の外部露出を防止する反射板が装着され、前記取付け面の他側には折畳羽のヒンジ溝が嵌合されるようにヒンジ突起が設けられ、その下方には折畳羽の弾性作用のための弾性手段が収容されるように隔室が具備され、隔室の下方には裏板の緊密な密着のための密着面を有し、密着面の内側には係止突起が形成され、本体フレームの枠を構成するための固定具が嵌合されることを特徴とする、請求項１〜３の何れか一に記載のガラス面取付け広告看板。
【請求項５】
前記広告面フレームに、固定フレームとカバーフレームとがワンタッチで脱着されることを特徴とする、請求項１〜４の何れか一に記載のガラス面取付け広告看板。
【請求項６】
前記広告面フレームに、広告シートが嵌合される嵌合溝が形成してなることを特徴とする、請求項１〜５の何れか一に記載のガラス面取付け広告看板。
【請求項７】
前記裏板が半透明とされ、絵などが透けて見えるようにしたことを特徴とする、請求項１〜６の何れか一に記載のガラス面取付け広告看板。
【手続補正２】
【補正対象書類名】明細書
【補正対象項目名】０００５
【補正方法】変更
【補正の内容】
【０００５】
そこで、それを改善するために本願出願人が先出願して登録した特許文献１における発明は、ガラス面に取付けられるフレームと、該フレームを構成する側板に蛍光燈を装着した後、裏板の脱着で蛍光燈の取り替えを容易にし、またガラス面にウィンドーティンティングされた広告内容を照らすようにすることで、昼間ではこのようなウィンドーティンティングによる広告、夜間ではガラス面に取付けられた広告看板の蛍光燈の発光によって広告が容易に行われるようにし、同時に、蛍光燈の取り替えも容易にしたものである。
しかし、このような方式は広告内容がウィンドーティンティングの形態でなっているので、広告内容を頻繁に取り替えることはできないという短所があり、特に蛍光燈を固定するための側板を別途の部品として使用することにより、フレームへの組立てが困難であって、裏板の脱着によって行われる蛍光燈の取り替えも裏板の脱着をネジ締めに依存するために、不便であるという短所があった。
【特許文献１】大韓民国特許第３９２０９２号
【手続補正３】
【補正対象書類名】明細書
【補正対象項目名】０００６
【補正方法】変更
【補正の内容】
【０００６】
本発明の課題は、ガラス板にウィンドーティンティングを施さずに広告看板の取替えが可能であり、蛍光灯の取り替えが容易であり、裏板にも広告ができるガラス面取付け広告看板を提供することである。
【手続補正４】
【補正対象書類名】明細書
【補正対象項目名】０００７
【補正方法】変更
【補正の内容】
【０００７】
本発明者らは、鋭意研究を重ねた結果、ガラス面に、裏板を脱着可能に取り付け、外側に広告面フレームを装着し、広告シートを装着することにより、上記課題を解決するガラス面取り付け広告看板を完成した。
【手続補正５】
【補正対象書類名】明細書
【補正対象項目名】００１０
【補正方法】変更
【補正の内容】
【００１０】
図１に示すように、本発明は、蛍光燈が組み込まれてガラス面１００の内側に接着固定される本体フレーム１０と、ガラス面１００の外側に接着されて広告シート２１が装着される広告面フレーム２０とで構成され、前記本体フレーム１０は、裏板１１が本体フレームの一側でスライド式に脱着されるか、または裏板が本体フレームに装着された折畳羽１２によって折り畳まれながら、裏板の脱着を可能にした。
【手続補正６】
【補正対象書類名】明細書
【補正対象項目名】００２０
【補正方法】変更
【補正の内容】
【００２０】
１０    本体フレーム
１１    裏板
１２    折畳羽
１２ａ  ヒンジ溝
１３    取付け面
１４    傾斜バー
１５    安定機溝
１６    反射板
１７    ヒンジ突起
１８    隔室
１９    密着面
１９ａ  係止突起
２０    広告面フレーム
２０ａ  固定フレーム
２０ｂ  カバーフレーム
２１    広告シート
２２    折畳羽
２３    嵌合溝
１００  ガラス面
２００  安定機
３００  弾性手段
４００  固定具